(57)【要約】      （修正有）【課題】外部から燃料供給される遅延希薄噴射（ＬＬＩ）システムを有するターボ機械燃焼器を提供する。【解決手段】ターボ機械燃焼器アセンブリは、ヘッド端５４から燃焼領域５８を経て第２の端５６まで延在する燃焼器本体５２を含む燃焼器２２を含む。少なくとも１つの噴射器６０は、燃焼器本体のヘッド端の燃焼領域に第１の可燃性流体を導入するように構成され、配置される。少なくとも１つの遅延希薄噴射器（ＬＬＩ）は、第１の可燃性流体の下流で第２の可燃性流体を導入するように構成され、配置される。外部流体供給システム４０は、少なくとも１つのＬＬＩと流体接続される。外部流体供給システム４０は、ＬＬＩと流体接続される第１の端１１２からターボ機械燃焼器アセンブリの外部にある第２の端１１３まで延在する少なくとも１つの可燃性流体供給導管１１０を含む。第２の端１１３は、第２の可燃性流体をＬＬＩに供給するように構成され、配置される。【選択図】図２
2015078831.tif 000002
【特許請求の範囲】
【請求項１】
ターボ機械燃焼器アセンブリ（２０）であって、
ヘッド端（５４）から燃焼領域（５８）を経て第２の端（５６）まで延在する燃焼器本体（５２）を含む燃焼器（２２）と、前記燃焼器本体（５２）の前記ヘッド端（５４）の前記燃焼領域（５８）に第１の可燃性流体を導入するように構成され、配置された少なくとも１つの噴射器（６０）と、前記第１の可燃性流体の下流で第２の可燃性流体を導入するように構成され、配置された少なくとも１つの遅延希薄噴射器（ＬＬＩ）（９０〜９２）と、前記少なくとも１つのＬＬＩ（９０〜９２）と流体接続された外部流体供給システム（４０）であって、
前記ＬＬＩ（９０〜９２）と流体接続された第１の端（１１２）から前記ターボ機械燃焼器アセンブリ（２０）の外部にある第２の端（１１３）まで延在する少なくとも１つの可燃性流体供給導管（１１０）を含み、前記第２の端（１１３）が、前記第２の可燃性流体を前記ＬＬＩ（９０〜９２）に供給するように構成され、配置されている外部流体供給システム（４０）とを備えるターボ機械燃焼器アセンブリ（２０）。
【請求項２】
燃料供給導管（１２０）をさらに備え、該燃料供給導管（１２０）が、前記少なくとも１つの可燃性流体供給導管（１１０）の前記第２の端（１１３）と流体接続された第１の端部（１２３）から中間部（１２５）を経て第２の端部（１２４）まで延在し、前記第２の端部（１２４）が、可燃性流体の外部供給部（１２６）と流体接続されている、請求項１に記載のターボ機械燃焼器アセンブリ（２０）。
【請求項３】
前記燃料供給導管（１２０）の前記中間部（１２５）に配置された弁（１３０）をさらに備える、請求項２に記載のターボ機械燃焼器アセンブリ（２０）。
【請求項４】
不燃性流体供給導管（１４０）をさらに備え、該不燃性流体供給導管（１４０）が、前記少なくとも１つの可燃性流体供給導管（１１０）の前記第２の端（１１３）と流体接続された第１の端部（１４３）から中間部（１４５）を経て第２の端部（１４４）まで延在し、前記第２の端部（１４４）が、不燃性流体の供給部と流体接続されている、請求項２に記載のターボ機械燃焼器アセンブリ（２０）。
【請求項５】
前記不燃性流体供給導管（１４０）の前記中間部（１４５）に配置された弁（１５０）をさらに備える、請求項４に記載のターボ機械燃焼器アセンブリ（２０）。
【請求項６】
前記不燃性流体供給導管（１４０）の前記第２の端部（１４４）が、圧縮機放出ケーシング（６３）と流体接続されている、請求項４に記載のターボ機械燃焼器アセンブリ（２０）。
【請求項７】
前記少なくとも１つの可燃性流体供給導管（１１０）が、第１のＬＬＩ（９０）と流体接続された第１の可燃性流体供給導管と、第２のＬＬＩ（９１）と流体接続された第２の可燃性流体供給導管（１６３）と、第３のＬＬＩ（９２）と流体接続された第３の可燃性流体供給導管（１６５）とを含み、前記第１の可燃性流体供給導管、前記第２の可燃性流体供給導管（１６３）、および前記第３の可燃性流体供給導管（１６５）のそれぞれが、接続部材（１６８）と流体接続されている、請求項１に記載のターボ機械燃焼器アセンブリ（２０）。
【請求項８】
ターボ機械（３）であって、
圧縮機部（４）と、該圧縮機部（４）と動作可能に連結されたタービン部（８）と、前記圧縮機部（４）および前記タービン部（８）と流体接続された燃焼器アセンブリ（２０）とを備え、該燃焼器アセンブリ（２０）が、ヘッド端（５４）から燃焼領域（５８）を経て第２の端（５６）まで延在する燃焼器本体（５２）を含む燃焼器（２２）と、前記燃焼器本体（５２）の前記ヘッド端（５４）の前記燃焼領域（５８）に第１の可燃性流体を導入するように構成され、配置された少なくとも１つの噴射器（６０）と、前記第１の可燃性流体の下流で第２の可燃性流体を導入するように構成され、配置された少なくとも１つの遅延希薄噴射器（ＬＬＩ）（９０〜９２）と、前記少なくとも１つのＬＬＩ（９０〜９２）と流体接続された外部流体供給システム（４０）であって、
前記ＬＬＩ（９０〜９２）と流体接続された第１の端（１１２）から前記燃焼器アセンブリ（２０）の外部にある第２の端（１１３）まで延在する少なくとも１つの可燃性流体供給導管（１１０）を含み、前記第２の端（１１３）が、前記第２の可燃性流体を前記ＬＬＩ（９０〜９２）に供給するように構成され、配置されている外部流体供給システム（４０）とを備えるターボ機械（３）。
【請求項９】
燃料供給導管（１２０）をさらに備え、該燃料供給導管（１２０）が、前記少なくとも１つの可燃性流体供給導管（１１０）の前記第２の端（１１３）と流体接続された第１の端部（１２３）から中間部（１２５）を経て第２の端部（１２４）まで延在し、前記第２の端部（１２４）が、可燃性流体の外部供給部（１２６）と流体接続されている、請求項８に記載のターボ機械（３）。
【請求項１０】
前記燃料供給導管（１２０）の前記中間部（１２５）に配置された弁（１３０）をさらに備える、請求項９に記載のターボ機械（３）。
【請求項１１】
不燃性流体供給導管（１４０）をさらに備え、該不燃性流体供給導管（１４０）が、前記少なくとも１つの可燃性流体供給導管（１１０）の前記第２の端（１１３）と流体接続された第１の端部（１４３）から中間部（１４５）を経て第２の端部（１４４）まで延在し、前記第２の端部（１４４）が、不燃性流体の供給部と流体接続されている、請求項９に記載のターボ機械（３）。
【請求項１２】
前記不燃性流体供給導管（１４０）の前記中間部（１４５）に配置された弁（１５０）をさらに備える、請求１１に記載のターボ機械（３）。
【請求項１３】
前記不燃性流体供給導管（１４０）の前記第２の端部（１４４）が、圧縮機放出ケーシング（６３）と流体接続されている、請求項１１に記載のターボ機械（３）。
【請求項１４】
前記少なくとも１つの可燃性流体供給導管（１１０）が、第１のＬＬＩ（９０）と流体接続された第１の可燃性流体供給導管と、第２のＬＬＩ（９１）と流体接続された第２の可燃性流体供給導管（１６３）と、第３のＬＬＩ（９２）と流体接続された第３の可燃性流体供給導管（１６５）とを含み、前記第１の可燃性流体供給導管、前記第２の可燃性流体供給導管（１６３）、および前記第３の可燃性流体供給導管（１６５）のそれぞれが、接続部材（１６８）と流体接続されている、請求項８に記載のターボ機械（３）。
【請求項１５】
ターボ機械システム（２）であって、
圧縮機部（４）と、該圧縮機部（４）と動作可能に接続されたタービン部（８）と、前記圧縮機部（４）および前記タービン部（８）の一方と被駆動可能に接続された機械的負荷（３０）と、前記圧縮機部（４）と流体接続された吸気システム（２４）であって、
前記圧縮機部（４）の入口（２６）に進入する流体を調整するように構成され、配置された吸気システム（２４）と、前記圧縮機部（４）および前記タービン部（８）と流体接続された燃焼器アセンブリ（２０）とを備え、該燃焼器アセンブリ（２０）が、ヘッド端（５４）から燃焼領域（５８）を経て第２の端（５６）まで延在する燃焼器本体（５２）を含む燃焼器（２２）と、前記燃焼器本体（５２）の前記ヘッド端（５４）の前記燃焼領域（５８）に第１の可燃性流体を導入するように構成され、配置された少なくとも１つの噴射器（６０）と、前記第１の可燃性流体の下流で第２の可燃性流体を導入するように構成され、配置された少なくとも１つの遅延希薄噴射器（ＬＬＩ）（９０〜９２）と、前記少なくとも１つのＬＬＩ（９０〜９２）と流体接続された外部流体供給システム（４０）であって、
前記ＬＬＩ（９０〜９２）と流体接続された第１の端（１１２）から前記燃焼器アセンブリ（２０）の外部にある第２の端（１１３）まで延在する少なくとも１つの可燃性流体供給導管（１１０）を含み、前記第２の端（１１３）が、前記第２の可燃性流体を前記ＬＬＩ（９０〜９２）に供給するように構成され、配置されている外部流体供給システム（４０）とを備えるターボ機械システム（２）。
【請求項１６】
燃料供給導管（１２０）をさらに備え、該燃料供給導管（１２０）が、前記少なくとも１つの可燃性流体供給導管（１１０）の前記第２の端（１１３）と流体接続された第１の端部（１２３）から中間部（１２５）を経て第２の端部（１２４）まで延在し、前記第２の端部（１２４）が、可燃性流体の外部供給部（１２６）と流体接続されている、請求項１５に記載のターボ機械システム（２）。
【請求項１７】
前記燃料供給導管（１２０）の前記中間部（１２５）に配置された弁（１３０）をさらに備える、請求項１６に記載のターボ機械システム（２）。
【請求項１８】
不燃性流体供給導管（１４０）をさらに備え、該不燃性流体供給導管（１４０）が、前記少なくとも１つの可燃性流体供給導管（１１０）の前記第２の端（１１３）と流体接続された第１の端部（１４３）から中間部（１４５）を経て第２の端部（１４４）まで延在し、前記第２の端部（１４４）が、不燃性流体の供給部と流体接続されている、請求項１５に記載のターボ機械システム（２）。
【請求項１９】
前記不燃性流体供給導管（１４０）の前記中間部（１４５）に配置された弁（１５０）をさらに備える、請求１８に記載のターボ機械システム（２）。
【請求項２０】
前記少なくとも１つの可燃性流体供給導管（１１０）が、第１のＬＬＩ（９０）と流体接続された第１の可燃性流体供給導管と、第２のＬＬＩ（９１）と流体接続された第２の可燃性流体供給導管（１６３）と、第３のＬＬＩ（９２）と流体接続された第３の可燃性流体供給導管（１６５）とを含み、前記第１の可燃性流体供給導管、前記第２の可燃性流体供給導管（１６３）、および前記第３の可燃性流体供給導管（１６５）のそれぞれが、接続部材（１６８）と流体接続されている、請求項１５に記載のターボ機械システム（２）。
【発明の詳細な説明】
【技術分野】
【０００１】
本明細書で開示される主題は、ターボ機械の技術に関し、より具体的には、外部から燃料供給される遅延希薄噴射（ＬＬＩ：ｌａｔｅ  ｌｅａｎ  ｉｎｊｅｃｔｉｏｎ）システムを有するターボ機械燃焼器に関する。
【背景技術】
【０００２】
ターボ機械は、共通の圧縮機／タービンシャフトを介してタービン部と連結された圧縮機部および燃焼器アセンブリを含む。流入空気流は、空気取入口を経由して圧縮機部へ送られる。圧縮機部において、流入空気流は、多数の一連の段によって圧縮され、燃焼器アセンブリへ送られる。燃焼器アセンブリにおいて、圧縮された空気流は、可燃混合気を形成するために燃料と混合され、可燃混合気は、燃焼器の燃焼室へ送られる。可燃混合気は、高温ガスを生成するために燃焼室で燃焼される。高温ガスは、多数のタービン段で膨張して、ホイールに取り付けられたタービン動翼に作用し、例えば発電機、ポンプ、または車両に動力を供給するために出力される仕事を発生させる。タービン部からの排気ガスは、多くの場合、排熱回収ボイラに送られ、排熱回収ボイラは、蒸気タービン部に送られる蒸気流を生成する。
【０００３】
一般に、圧縮された空気および燃料は、１つ以上の燃料ノズルによって燃焼器のヘッド端に導入される。可燃混合気は、燃焼器の燃焼領域で燃焼し、トランジションピースを通ってタービン部に流れる。場合によって、付加的な可燃性流体が、燃焼器内の、燃焼領域の下流に導入される。あるいは、付加的な可燃性流体は、トランジションピース内に導入されてもよい。燃焼されるとき、付加的な可燃性流体は、可燃混合気の燃焼していない成分を消滅させて、ターボ機械からの排出を改善することができる。
【先行技術文献】
【特許文献】
【０００４】
【特許文献１】米国特許第８４０７８９２号明細書
【発明の概要】
【０００５】
一態様によれば、ターボ機械燃焼器アセンブリは、ヘッド端から燃焼領域を経て第２の端まで延在する燃焼器本体を含む燃焼器を含む。少なくとも１つの噴射器は、燃焼器本体のヘッド端の燃焼領域に第１の可燃性流体を導入するように構成され、配置される。少なくとも１つの遅延希薄噴射器（ＬＬＩ）は、第１の可燃性流体の下流で第２の可燃性流体を導入するように構成され、配置される。外部流体供給システムは、少なくとも１つのＬＬＩと流体接続される。外部流体供給システムは、ＬＬＩと流体接続される第１の端からターボ機械燃焼器アセンブリの外部にある第２の端まで延在する少なくとも１つの可燃性流体供給導管を含む。第２の端は、第２の可燃性流体をＬＬＩに供給するように構成され、配置される。
【０００６】
例示的な実施形態の別の態様によれば、ターボ機械は、圧縮機部と、圧縮機部と動作可能に接続されるタービン部と、圧縮機部およびタービン部と流体接続される燃焼器アセンブリとを備える。燃焼器アセンブリは、ヘッド端から燃焼領域を経て第２の端まで延在する燃焼器本体を有する燃焼器を含む。少なくとも１つの噴射器は、燃焼器本体のヘッド端の燃焼領域に第１の可燃性流体を導入するように構成され、配置される。少なくとも１つの遅延希薄噴射器（ＬＬＩ）は、第１の可燃性流体の下流で第２の可燃性流体を導入するように構成され、配置される。外部流体供給システムは、少なくとも１つのＬＬＩと流体接続される。外部流体供給システムは、ＬＬＩと流体接続される第１の端から燃焼器アセンブリの外部にある第２の端まで延在する少なくとも１つの可燃性流体供給導管を含む。第２の端は、第２の可燃性流体をＬＬＩに供給するように構成され、配置される。
【０００７】
例示的な実施形態のさらに別の態様によれば、ターボ機械システムは、圧縮機部と、圧縮機部と動作可能に接続されるタービン部と、圧縮機部およびタービン部の一方と被駆動可能に接続される機械的負荷と、圧縮機部と流体接続される吸気システムとを含む。吸気システムは、圧縮機部の入口に進入する流体を調整するように構成され、配置される。燃焼器アセンブリは、圧縮機部およびタービン部と流体接続される。焼器アセンブリは、ヘッド端から燃焼領域を経て第２の端まで延在する燃焼器本体を有する燃焼器を含む。少なくとも１つの噴射器は、燃焼器本体のヘッド端の燃焼領域に第１の可燃性流体を導入するように構成され、配置される。少なくとも１つの遅延希薄噴射器（ＬＬＩ）は、第１の可燃性流体の下流で第２の可燃性流体を導入するように構成され、配置される。外部流体供給システムは、少なくとも１つのＬＬＩと流体接続される。外部流体供給システムは、ＬＬＩと流体接続される第１の端から燃焼器アセンブリの外部にある第２の端まで延在する少なくとも１つの可燃性流体供給導管を含む。第２の端は、第２の可燃性流体をＬＬＩに供給するように構成され、配置される。
【０００８】
これらのおよび他の利点および特徴は、図面に関連して行われる以下の説明からより明らかとなる。
【０００９】
本発明であると考えられている主題は、本明細書の最後にある特許請求の範囲において特に示され、明確に特許請求される。本発明の前述のおよび他の特徴および利点は、添付図面に関連して行われる以下の詳細な説明から明らかとなる。
【図面の簡単な説明】
【００１０】
【図１】例示的な実施形態に係る、外部から燃料供給される遅延希薄噴射（ＬＬＩ）システムを有するターボ機械燃焼器を含むターボ機械の概略図である。
【図２】図１のターボ機械燃焼器の概略側面図である。
【図３】例示的な実施形態の態様に係る、外部から燃料供給される遅延希薄噴射（ＬＬＩ）システムを有するターボ機械燃焼器の軸方向端面図である。
【発明を実施するための形態】
【００１１】
詳細な説明では、本発明の実施形態が、例として図面を参照しながら利点および特徴と共に説明される。
【００１２】
図１には、例示的な実施形態に係るターボ機械システムが、２として示されている。ターボ機械システム２は、ターボ機械３を含み、ターボ機械３は、圧縮機ケーシング６を有する圧縮機部４およびタービンケーシング１０を有するタービン部８を含む。圧縮機ケーシング６およびタービンケーシング１０は、ハウジング１２（図２）を形成するように組み合わされている。圧縮機部４は、共通の圧縮機／タービンシャフト１６を介してタービン部８と動作可能に接続されている。また、ターボ機械３は、燃焼器アセンブリ２０を含み、燃焼器アセンブリ２０は、圧縮機部４とタービン部８とを流体接続する１つ以上の燃焼器２２を有する。吸気システム２４は、圧縮機部４の入口２６と流体接続されている。また、ターボ機械３は、機械的負荷３０と駆動可能に接続されているものとして示されている。機械的負荷３０は、ポンプシステム、エネルギー発生システム、および他の種類の機械的に駆動されるシステムを含む様々な形態をとってもよい。また、ターボ機械３は、以下でより完全に詳述されるように、燃焼器２２と流体接続された外部流体供給システム４０を含む。
【００１３】
図示の例示的な実施形態において、燃焼器２２は、燃焼器本体５２を含み、燃焼器本体５２は、ヘッド端５４から燃焼領域５８を経て第２の端５６まで延在している。複数の噴射器６０が、ヘッド端５４に配置されている。噴射器６０は、燃料供給システム６２から燃料を受け入れ、ハウジング１２の内部に形成された圧縮機放出ケーシング６３から空気を受け入れる。燃料および空気は、可燃混合気を形成するために混合され、可燃混合気は、燃焼領域５８で燃焼され、これにより、高温ガスが生成される。燃焼器２２からの高温ガスは、トランジションピース６５を通過し、タービン部８で膨張する。トランジションピース６５は、第１の端部６８から中間部７２を経て第２の端部７０まで延在している。第１の端部６８は、燃焼器２２の第２の端５６と機械的に連結されており、第２の端部７０は、タービン部８と流体接続されている。
【００１４】
さらに図示の例示的な実施形態によれば、燃焼器２２は、燃焼器本体５２に取り付けられた第１の遅延希薄噴射器（ＬＬＩ）９０、第２のＬＬＩ９１（図３）、および第３のＬＬＩ９２（図３）を含む。言うまでもなく、ＬＬＩの数および位置は変更されてもよいことが理解されるべきである。ＬＬＩ９０〜９２は、第２の燃焼領域９３の位置で燃焼器本体５４を貫通している。第２の燃焼領域９３は、燃焼領域５８の下流に配置されている。ＬＬＩ９０〜９２のそれぞれは、対応する可燃性流体入口９６〜９８を含み、可燃性流体入口９６〜９８は、外部流体供給システム４０から可燃性流体を受け入れる。ＬＬＩ９０〜９２は、第２の燃焼領域９３で燃焼される第２の可燃混合気を燃焼器２２に導入する。全負荷運転中、ＬＬＩ９０〜９２は、燃焼生成物が最終的な燃焼器の出口温度にある時間を低減して、ＮＯｘを低減する。部分負荷運転時、ＬＬＩ９０〜９２に供給される燃料は、大幅に低減されてもよいし、または完全に止められてもよい。このような条件下では、付加的な燃料が、ヘッド端の温度を上昇させてＣＯを酸化させるためにヘッド端５４に供給される。このようにして、ターボ機械は、全負荷運転中および部分負荷運転中のいずれの場合であっても排出規制を順守する。
【００１５】
さらに、例示的な実施形態によれば、外部流体供給システム４０は、可燃性流体供給導管１１０を含み、可燃性流体供給導管１１０は、可燃性流体入口９６と流体接続された第１の端１１２から燃焼器２２の外部にある第２の端１１３まで延在している。燃料供給導管１２０は、可燃性流体供給導管１１０と流体接続されている。より具体的には、燃料供給導管１２０は、可燃性流体供給導管１１０の第２の端１１３と流体接続された第１の端部１２３から中間部１２５を経て第２の端部１２４まで延在している。第２の端部１２４は、燃料供給部１２６と流体接続されている。燃料供給部１２６は、可燃性流体、可燃性ガス、および希薄剤などを含み得る燃料源を形成している。弁１３０は、中間部１２５の途中に配置されている。弁１３０は、燃料供給部１２６からＬＬＩ９０〜９２のうちの１つ以上への可燃性流体の通過を制御する。
【００１６】
さらに、例示的な実施形態によれば、外部流体供給システム４０は、不燃性流体供給導管１４０を含む。不燃性流体供給導管１４０は、第１の端部１４３から中間部１４５を経て第２の端部１４４まで延在している。第１の端部１４３は、可燃性流体供給導管１１０の第２の端１１３と流体接続されている。不燃性流体供給導管１４０の第２の端部１４４は、ハウジング１２に設けられた圧縮機放出ケーシング６３と流体接続されている。圧縮機放出ケーシング６３は、ＬＬＩ９０〜９２への不燃性流体の供給部を形成している。この点に関して、不燃性流体が、燃料にとっての酸化剤として機能し、空気、酸素、および希薄剤などを含有し得ることが理解されるべきである。さらに、弁１５０は、不燃性流体供給導管１４０の中間部１４５の途中に配置されている。
【００１７】
この機構によって、燃料および空気は、燃焼器本体５２への導入の前に燃焼器２２の外部で混合され、ＬＬＩ９０〜９２に送られ得る。燃焼器２２の外部で燃料と空気とを混合することによって、可燃性流体供給導管１１０内の圧力は、圧縮機放出ケーシング６３における圧縮機放出空気圧よりも小さくなる。このようにして、漏れが発生した場合に、圧縮機放出ケーシング６３は、燃料から隔離される。すなわち、燃料は、圧縮機放出ケーシング６３を通ってハウジング１２に移動しない。さらに、可燃性流体供給導管１１０を通過する燃料／空気混合物は、燃焼器本体５２内での全圧力降下と実質的に一致する圧力降下を有する。結果として、燃料／空気混合物の出力速度は、ＬＬＩ９０〜９２で保持される火炎を減少させるものとなる。また、図３に示されているように、外部流体供給システム４０は、可燃性流体供給導管１１０と流体接続された可燃性流体供給導管１６０を含んでもよく、また接続部材１６８を介してＬＬＩ９０〜９２を流体的に相互接続する第２の可燃性流体供給導管１６３および第３の可燃性流体供給導管１６５を含んでもよい。また、各ＬＬＩが、専用の不燃性流体供給部および可燃性流体供給部を含んでもよいことが理解されるべきである。
【００１８】
本発明について、限られた数の実施形態のみに関連して詳細に説明してきたが、本発明が、このような開示された実施形態に限定されるわけではないことが容易に理解されるべきである。それどころか、本発明は、これまでに説明されていないが、本発明の精神および範囲に相応する任意の数の変形、変更、置換、または同等の配置を取り入れるために修正されてもよい。さらに、本発明の様々な実施形態について説明してきたが、本発明の態様が、説明されている実施形態の一部しか含まなくてもよいことが理解されるべきである。したがって、本発明は、前述の説明によって限定されるものとして理解されるべきではなく、添付の特許請求の範囲によってのみ限定される。
【符号の説明】
【００１９】
２  ターボ機械システム
３  ターボ機械
４  圧縮機部
６  圧縮機ケーシング
８  タービン部
１０  タービンケーシング
１２  ハウジング
１６  共通の圧縮機／タービンシャフト
２０  燃焼器アセンブリ
２２  燃焼器
２４  吸気システム
２６  入口
３０  機械的負荷
４０  外部流体供給システム
５２  燃焼器本体
５４  ヘッド端
５６  燃焼器本体の第２の端
５８  燃焼領域
６０  複数の噴射器
６２  燃料供給システム
６３  放出ケーシング
６５  トランジションピース
６８  トランジションピースの第１の端部
７０  トランジションピースの第２の端部
７２  トランジションピースの中間部
９０  第１の遅延希薄噴射器（ＬＬＩ）
９１  第２のＬＬＩ
９２  第３のＬＬＩ
９３  第２の燃焼領域
９６  可燃性流体入口
９７  可燃性流体入口
９８  可燃性流体入口
１１０  可燃性流体供給導管
１１２  第１の端
１１３  可燃性流体供給導管の第２の端
１２０  燃料供給導管
１２３  燃料供給導管の第１の端部
１２４  燃料供給導管の第２の端部
１２５  燃料供給導管の中間部
１２６  燃料供給部
１３０  燃料供給導管の弁
１４０  不燃性流体供給導管
１４３  不燃性流体供給導管の第１の端部
１４４  不燃性流体供給導管の第２の端部
１４５  不燃性流体供給導管の中間部
１４８  圧縮機抽出口
１５０  不燃性流体供給導管の弁
１６０  可燃性流体供給導管
１６３  第２の可燃性流体供給導管
１６５  第３の可燃性流体供給導管
１６８  接続部材
【図１】
2015078831.tif 000003
【図２】
2015078831.tif 000004
【図３】
2015078831.tif 000005
【外国語明細書】
2015078831000001.pdf